【手続補正書】
【提出日】平成23年11月2日(2011.11.2)
【手続補正１】
【補正対象書類名】特許請求の範囲
【補正対象項目名】全文
【補正方法】変更
【補正の内容】
【特許請求の範囲】
【請求項１】
1つまたは複数のサブフレームを含むフレームを生成する工程であって、各サブフレームが1つまたは複数の単位サブフレームを含み、各単位サブフレームが固定長の期間Tu-サブを含む、工程、
前記フレーム内の前記サブフレームを制御するためのフレーム同期信号およびフレーム制御信号を生成する工程、ならびに
前記フレーム内の各サブフレームの方向性情報を生成して、該サブフレームがダウンリンク伝送のために使用されているか、アップリンク伝送のために使用されているか、または保留されているかを示す工程
を含む、通信システムにおけるデータ通信のためのフレームを提供する方法。
【請求項２】
フレーム内の各サブフレームの方向性情報、開始時間位置、および期間Tサブが、既定の設定の集合から選択され、個別には信号発信されない、請求項1記載の方法。
【請求項３】
各単位サブフレームが1つまたは複数のOFDMシンボルを含み、かつ該単位サブフレームが、該単位サブフレームの終わりまたは該単位サブフレームの始めにアイドル時間を含む、請求項1記載の方法。
【請求項４】
Tu-サブが0.25、0.5、0.675、1、1.25、1.5、2、または2.5msに等しい、請求項1記載の方法。
【請求項５】
フレームが固定長の期間Tフレームを含み、かつTフレームが2.5、5、10、または20msに等しい、請求項1記載の方法。
【請求項６】
1つまたは複数のサブフレームを含む第一のフレームを、第一の通信システムによって伝送する工程であって、各サブフレームが1つまたは複数の単位サブフレームを含み、各単位サブフレームが固定長の期間Tuサブを含み、前記第一のフレームが、前記サブフレームがダウンリンク伝送のために使用されているか、アップリンク伝送のために使用されているか、または保留されているかを示す各サブフレームの方向性情報を含む、工程、
1つまたは複数のサブフレームを含む第二のフレームを、第二の通信システムによって伝送する工程であって、前記第二のフレームが、前記第一のフレーム内の保留サブフレームの期間を占有する、工程
を含む、第一の通信システムと第二の通信システムとの間のスペクトル共有方法。
【請求項７】
第一のフレームが1つまたは複数のフレーム区画を含み、各フレーム区画が1つまたは複数のサブフレームを含む、請求項6記載の方法。
【請求項８】
第一のフレーム内の各保留サブフレームの方向性情報が、該保留サブフレームのチャネル帯域幅がダウンリンク伝送のために使用されているか、アップリンク伝送のために使用されているか、または保留されているかを更に示し、かつ保留サブフレームの保留チャネル帯域幅が、保留サブフレームを伝送するために第一の通信システムによって使用されるのではない、請求項6記載の方法。
【請求項９】
1つまたは複数のサブフレームを含む第一のフレームを、第一の通信システムによって伝送する工程であって、各サブフレームが1つまたは複数の単位サブフレームを含み、各単位サブフレームが固定長の期間Tu-サブを含み、前記第一のフレームが、前記サブフレームの周波数-時間資源の領域がダウンリンク伝送のために使用されているか、アップリンク伝送のために使用されているか、または保留されているかを示す各サブフレームの方向性情報を含む、工程、および
1つまたは複数のサブフレームを含む第二のフレームを、第二の通信システムによって伝送する工程であって、前記第二のフレームが、前記第一の通信システムによって示される前記保留された領域を占有する、工程
を含む、第一の通信システムと第二の通信システムとの間のスペクトル共有方法。
【請求項１０】
1つまたは複数のフレーム区画を含む第一のフレームを、第一のキャリアで伝送する工程であって、各フレーム区画が1つまたは複数のサブフレームを含み、各サブフレームが1つまたは複数の単位サブフレームを含み、各単位サブフレームが固定長の期間Tu-サブを含む、工程、および
1つまたは複数のフレーム区画を含む第二のフレームを、第二のキャリアで伝送する工程であって、各フレーム区画が1つまたは複数のサブフレームを含む、工程
を含む、通信システムにおけるフレーム制御方法であって、
前記第一のフレーム内の各フレーム区画が、前記第二のフレーム内の対応するフレーム区画を有する、
方法。
【請求項１１】
第一のフレームが、該第一のフレームの始めに位置するダウンリンクサブフレームにおけるフレーム同期信号およびフレーム制御信号を含み、該フレーム同期信号およびフレーム制御信号が、第一および第二のフレームの対応するフレーム区画のために使用される、請求項10記載の方法。
【請求項１２】
第一の中心周波数および第一のチャネル帯域幅を有する第一のキャリアを設定する工程、
第二の中心周波数および第二のチャネル帯域幅を有する第二のキャリアを設定する工程
を含む、直交周波数分割多重（OFDM）または直交周波数分割多元接続（OFDMA）通信システムにおけるキャリア構成方法であって、
前記第一のキャリアおよび前記第二のキャリアが、同じサブキャリア間隔を有し、前記第一のチャネル帯域幅が、前記第二のチャネル帯域幅に隣接し、前記第一の中心周波数および前記第二の中心周波数が、整数の周波数ステップによって分離され、かつ前記周波数ステップが、整数の前記サブキャリア間隔である、
方法。
【請求項１３】
基地局が第一のキャリアで第一の移動局と、および第二のキャリアで第二の移動局と同時に通信する工程を更に含む方法であって、前記第一のキャリアおよび前記第二のキャリアが、単一の集約OFDM/OFDMAキャリアとして前記基地局によって処理される、請求項12記載の方法。
【請求項１４】
通信システムが、周波数帯域チャネルラスタを均一に分割することができる値のサブキャリア間隔を採用し、そのような周波数帯域チャネルラスタは、250kHzであっても、または200kHzであってもよく、そのようなサブキャリア間隔は、以下に限定されないが10kHz、12.5kHz、または25kHzを含む、請求項1、6、9、10、および12記載の方法。
【請求項１５】
第一または第二の通信システムが、2.5、10、および15μsの値などの、同じフレームにおける1つより多いサイクリックプレフィックス長をサポートする、請求項1、6、9、10、および12記載の方法。
【手続補正２】
【補正対象書類名】明細書
【補正対象項目名】００２２
【補正方法】変更
【補正の内容】
【００２２】
本発明の更なる特徴および利点は、本発明の様々な態様の構造および動作と共に、添付の図面を参照して以下に詳細に記述される。
[請求項1001]
1つまたは複数のサブフレームを含むフレームを生成する工程であって、各サブフレームが1つまたは複数の単位サブフレームを含み、各単位サブフレームが固定長の期間Tu-サブを含む、工程、ならびに
前記フレーム内の前記サブフレームを制御するためのフレーム同期信号およびフレーム制御信号を生成する工程
を含む、通信システムにおけるデータ通信のためのフレームを提供する方法。
[請求項1002]
フレーム内の各サブフレームの方向性情報を生成する工程を更に含む、請求項1001記載の方法。
[請求項1003]
方向性情報が、サブフレームがダウンリンク伝送のために使用されているかまたはアップリンク伝送のために使用されているかを示す、請求項1002記載の方法。
[請求項1004]
方向性情報が方向制御ビットを含む、請求項1003記載の方法。
[請求項1005]
方向性情報が、サブフレームがダウンリンク伝送のために使用されているか、アップリンク伝送のために使用されているか、または保留されているかを示す、請求項1002記載の方法。
[請求項1006]
方向性情報が、サブフレーム内のチャネル帯域幅がダウンリンク伝送のために使用されているか、アップリンク伝送のために使用されているか、または保留されているかを示す、請求項1002記載の方法。
[請求項1007]
フレーム同期信号およびフレーム制御信号が、フレームの始めに位置するダウンリンクサブフレームに位置している、請求項1002記載の方法。
[請求項1008]
フレーム同期信号が、フレーム内の他の信号から、および同じ伝送媒体を使用している他の伝送源のフレーム同期信号から容易に識別可能である、請求項1007記載の方法。
[請求項1009]
フレーム同期信号が、強い自己相関特性、ならびにフレーム内の他の信号との、および同じ伝送媒体を使用している他の伝送源のフレーム同期信号との弱い相互相関特性を呈する、請求項1007記載の方法。
[請求項1010]
フレーム制御信号が、フレーム内の各サブフレームの方向性情報、開始時間位置、および期間Tサブを含む、請求項1007記載の方法。
[請求項1011]
フレーム内のサブフレームの開始時間位置が、フレームの開始点からの時間オフセットによって指定される、請求項1010記載の方法。
[請求項1012]
サブフレームの時間オフセットが、整数のTu-サブとして表される、請求項1011記載の方法。
[請求項1013]
サブフレームの時間オフセットが、フレーム内の先行する全てのサブフレームの期間の合計として表される、請求項1012記載の方法。
[請求項1014]
フレーム内の各サブフレームの方向性情報、開始時間位置、および期間Tサブが、既定の設定の集合から選択され、個別には信号発信されない、請求項1010記載の方法。
[請求項1015]
既定の設定の選択された集合を、フレーム制御信号を通じて移動局に伝送する工程を更に含む、請求項1014記載の方法。
[請求項1016]
フレーム内に1つまたは複数のフレーム区画を生成する工程であって、各フレーム区画が1つまたは複数のサブフレームを含む、工程、および
前記フレーム区画内の前記サブフレームを制御するように成り立つ各フレーム区画のためのフレーム区画制御信号を生成する工程
を更に含む、請求項1002記載の方法。
[請求項1017]
フレーム制御信号がフレーム内のフレーム区画の数を含む、請求項1016記載の方法。
[請求項1018]
フレーム区画制御信号が、フレーム区画の始めに位置するダウンリンクサブフレームに位置し、かつ前記フレーム区画内の各サブフレームの方向性情報、開始時間位置、および期間Tサブを含む、請求項1016記載の方法。
[請求項1019]
フレーム区画内のサブフレームの開始時間位置が、前記フレーム区画の開始点からの時間オフセットによって指定される、請求項1018記載の方法。
[請求項1020]
サブフレームの時間オフセットが、整数のTu-サブとして表される、請求項1019記載の方法。
[請求項1021]
サブフレームの時間オフセットが、フレーム区画内の先行するサブフレームの期間の合計として表される、請求項1020記載の方法。
[請求項1022]
時間オフセットが、フレーム内のサブフレームの既定の位置および期間によって、ならびに前記フレーム内のフレーム区画の位置および期間によって、事前に決められている、請求項1019記載の方法。
[請求項1023]
フレーム区画制御信号が、フレーム内の後続のフレーム区画の開始時間位置を含む、請求項1018記載の方法。
[請求項1024]
各サブフレームが1つまたは複数のサブフレーム区画を含み、各サブフレーム区画が1つまたは複数の単位サブフレームを含む、請求項1001記載の方法。
[請求項1025]
サブフレームがサブフレーム区画制御信号を含み、前記サブフレーム区画制御信号が、前記サブフレーム内の各サブフレーム区画の開始時間位置および期間Tサブを含む、請求項1024記載の方法。
[請求項1026]
フレーム区画制御信号が、サブフレーム内の各サブフレーム区画の開始時間位置および期間を含む、請求項1024記載の方法。
[請求項1027]
伝送用に個別にまたはまとめて識別可能なおよび分配可能な無線資源の単位が、サブフレーム区画内の伝送に利用可能な全無線資源の範囲内で定義されている、請求項1024記載の方法。
[請求項1028]
伝送用に個別にまたはまとめて識別可能なおよび分配可能な無線資源の単位が、単位サブフレーム内の伝送に利用可能な全無線資源の範囲内で定義されている、請求項1024記載の方法。
[請求項1029]
各単位サブフレームが1つまたは複数のOFDMシンボルを含む、請求項1001記載の方法。
[請求項1030]
単位サブフレームが、該単位サブフレームの終わりにアイドル時間を含む、請求項1029記載の方法。
[請求項1031]
単位サブフレームが、該単位サブフレームの始めに同期信号を含む、請求項1029記載の方法。
[請求項1032]
Tu-サブが0.5、0.675、1、1.25、1.5、または2msに等しい、請求項1001記載の方法。
[請求項1033]
フレームが固定長の期間Tフレームを含み、かつTフレームが5、10、または20msに等しい、請求項1001記載の方法。
[請求項1034]
1つまたは複数のサブフレームを含む第一のフレームを、第一の通信システムによって伝送する工程であって、各サブフレームが1つまたは複数の単位サブフレームを含み、各単位サブフレームが固定長の期間Tuサブを含み、前記第一のフレームが、前記サブフレームがダウンリンク伝送のために使用されているか、アップリンク伝送のために使用されているか、または保留されているかを示す各サブフレームの方向性情報を含む、工程、
1つまたは複数のサブフレームを含む第二のフレームを、第二の通信システムによって伝送する工程であって、前記第二のフレームが、前記第一のフレーム内の保留サブフレームの期間を占有する、工程
を含む、第一の通信システムと第二の通信システムとの間のスペクトル共有方法。
[請求項1035]
第一のフレームが、該第一のフレームの始めに位置するダウンリンクサブフレームにおけるフレーム同期信号およびフレーム制御信号を含む、請求項1033記載の方法。
[請求項1036]
フレーム制御信号が、フレーム内の各サブフレームの方向性情報、開始時間位置、および期間Tサブを含む、請求項1035記載の方法。
[請求項1037]
第二の通信システムが、常にその動作スペクトルの完全使用を必要とするわけではない、請求項1034記載の方法。
[請求項1038]
第一の通信システムおよび第二の通信システムが、異なるサブキャリア間隔を有する、請求項1034記載の方法。
[請求項1039]
第一の通信システムおよび第二の通信システムが、異なるシンボル時間を有する、請求項1034記載の方法。
[請求項1040]
第一の通信システムおよび第二の通信システムが、異なるOFDM/OFDMAサイクリックプレフィックス期間を有する、請求項1034記載の方法。
[請求項1041]
第一の通信システムおよび第二の通信システムが、異なるチャネル帯域幅を有する、請求項1034記載の方法。
[請求項1042]
第一の通信システムおよび第二の通信システムが、異なる中心周波数を有する、請求項1034記載の方法。
[請求項1043]
保留サブフレームが第一のフレーム内で周期的に発生し、かつ前記第一のフレームが、前記保留サブフレームの最小周期の整数倍に等しい期間を含む、請求項1034記載の方法。
[請求項1044]
第二のフレームが、保留サブフレームの最小周期に等しい期間を含む、請求項1043記載の方法。
[請求項1045]
第二のフレームが第二の通信システムのタイミング要件を満たすように、保留サブフレームが第一のフレーム内に配置されている、請求項1034記載の方法。
[請求項1046]
第一の通信システムが12.5kHzのサブキャリア間隔を有する、請求項1034記載の方法。
[請求項1047]
第一のキャリアが、2.5、10、および15μsの3つのサイクリックプレフィックス長をサポートする、請求項1046記載の方法。
[請求項1048]
第一の通信システムが25kHzのサブキャリア間隔を有する、請求項1034記載の方法。
[請求項1049]
保留サブフレームが、データ伝送のために第一のOFDMA通信システムによって使用されるのではない、請求項1034記載の方法。
[請求項1050]
第一の通信システムがIEEE 802.16mに準拠し、かつ第二の通信システムがIEEE 802.16eに準拠している、請求項1049記載の方法。
[請求項1051]
第一の通信および第二の通信が同じキャリアで動作する、請求項1034記載の方法。
[請求項1052]
第一のフレームが第一のプリアンブルを含み、第二のフレームが第二のプリアンブルを含み、かつ前記第一のプリアンブルが前記第二のプリアンブルに対して直交している、請求項1034記載の方法。
[請求項1053]
第一のフレームの期間が第二のフレームの整数倍である、請求項1034記載の方法。
[請求項1054]
第二のフレームの期間が5ミリ秒である、請求項1053記載の方法。
[請求項1055]
第一のフレームが1つまたは複数のフレーム区画を含み、各フレーム区画が1つまたは複数のサブフレームを含む、請求項1034記載の方法。
[請求項1056]
各フレーム区画が、該フレーム区画内のサブフレームを制御するためのフレーム区画制御信号を含み、前記フレーム区画制御信号が、フレーム内の各サブフレームの方向性情報、開始時間位置、および期間Tサブを含む、請求項1055記載の方法。
[請求項1057]
各サブフレームが1つまたは複数のサブフレーム区画を含み、各サブフレーム区画が1つまたは複数の単位サブフレームを含む、請求項1055記載の方法。
[請求項1058]
各サブフレームが、該サブフレーム内のサブフレーム区画を制御するためのサブフレーム区画制御信号を含み、前記サブフレーム区画制御信号が、前記サブフレーム内の各サブフレーム区画の開始時間位置および期間Tサブを含む、請求項1057記載の方法。
[請求項1059]
サブフレーム区画制御信号が、サブフレーム区画がダウンリンク伝送のために使用されているか、アップリンク伝送のために使用されているか、または保留されているかを示す各サブフレーム区画の方向性情報を含む、請求項1058記載の方法。
[請求項1060]
第一のフレーム内の保留サブフレーム区画の期間中に、第二の通信システムによって第二のフレームを伝送する工程を更に含む、請求項1059記載の方法。
[請求項1061]
第一のフレーム内の各保留サブフレームの方向性情報が、該保留サブフレームのチャネル帯域幅がダウンリンク伝送のために使用されているか、アップリンク伝送のために使用されているか、または保留されているかを更に示し、かつ保留サブフレームの保留チャネル帯域幅が、保留サブフレームを伝送するために第一の通信システムによって使用されるのではない、請求項1034記載の方法。
[請求項1062]
保留されていないチャネル帯域幅で第一のフレーム内の保留サブフレームを第一の通信によって伝送する工程を更に含む、請求項1061記載の方法。
[請求項1063]
第一の通信システムがOFDMA通信システムである、請求項1062記載の方法。
[請求項1064]
第二の通信システムのチャネル帯域幅が、第一の通信システムのチャネル帯域幅と完全には重複していない、請求項1061記載の方法。
[請求項1065]
保留されたチャネル帯域幅で第二のフレームを第二の通信によって伝送する工程を更に含む、請求項1064記載の方法。
[請求項1066]
1つまたは複数のサブフレームを含む第一のフレームを、第一の通信システムによって伝送する工程であって、各サブフレームが1つまたは複数の単位サブフレームを含み、各単位サブフレームが固定長の期間Tu-サブを含み、前記第一のフレームが、前記サブフレームの周波数-時間資源の領域がダウンリンク伝送のために使用されているか、アップリンク伝送のために使用されているか、または保留されているかを示す各サブフレームの方向性情報を含む、工程、および
1つまたは複数のサブフレームを含む第二のフレームを、第二の通信システムによって伝送する工程であって、前記第二のフレームが、前記第一のフレーム内の前記サブフレームの周波数-時間資源の保留領域を占有する、工程
を含む、第一の通信システムと第二の通信システムとの間のスペクトル共有方法。
[請求項1067]
1つまたは複数のフレーム区画を含む第一のフレームを、第一のキャリアで伝送する工程であって、各フレーム区画が1つまたは複数のサブフレームを含み、各サブフレームが1つまたは複数の単位サブフレームを含み、各単位サブフレームが固定長の期間Tu-サブを含む、工程、および
1つまたは複数のフレーム区画を含む第二のフレームを、第二のキャリアで伝送する工程であって、各フレーム区画が1つまたは複数のサブフレームを含む、工程
を含む、通信システムにおけるフレーム制御方法であって、
前記第一のフレーム内の各フレーム区画が、前記第二のフレーム内の対応するフレーム区画を有する、
方法。
[請求項1068]
第一のフレームが、該第一のフレームの始めに位置するダウンリンクサブフレームにおけるフレーム同期信号およびフレーム制御信号を含む、請求項1067記載の方法。
[請求項1069]
第一のフレーム内の各フレーム区画が、該フレーム区画の始めに位置するダウンリンクサブフレームにおいて前記フレーム区画内のサブフレームおよび第二のフレーム内の対応するフレーム区画内のサブフレームを制御するためのフレーム区画制御信号を含む、請求項1067記載の方法。
[請求項1070]
フレーム区画制御信号が、フレーム区画内の各サブフレームのおよび第二のフレーム内の対応するフレーム区画内の各サブフレームの方向性情報、開始時間位置、および期間Tサブを含む、請求項1069記載の方法。
[請求項1071]
方向性情報が、サブフレームがダウンリンク伝送のために使用されているかまたはアップリンク伝送のために使用されているかを示す、請求項1070記載の方法。
[請求項1072]
フレーム区画制御信号が、第一のフレーム内の後続のフレーム区画のおよび第二のフレーム内の対応する後続のフレーム区画の開始時間位置を含む、請求項1070記載の方法。
[請求項1073]
フレーム区画制御信号が、第二のキャリアの中心周波数および帯域幅を含む、請求項1070記載の方法。
[請求項1074]
フレーム区画制御信号が、第二のキャリアの識別子を含む、請求項1070記載の方法。
[請求項1075]
フレーム区画制御信号が、第二のキャリアの移動局割り当てに関する情報を含む、請求項1070記載の方法。
[請求項1076]
フレーム区画制御信号が、第二のキャリアでのアップリンクデータ伝送のための資源に関する情報を含む、請求項1070記載の方法。
[請求項1077]
フレーム区画制御信号が、第二のキャリアでのダウンリンクデータ伝送のための資源に関する情報を含む、請求項1070記載の方法。
[請求項1078]
第一のフレーム内のフレーム区画と第二のフレーム内の対応するフレーム区画との間に時間遅延Tf,オフセットが存在する、請求項1067記載の方法。
[請求項1079]
Tf,オフセットが第二のキャリアに基づいて構成可能である、請求項1078記載の方法。
[請求項1080]
第一のキャリアでフレーム区画制御信号を受信し、かつ処理した後に、第二のフレーム内の対応するフレーム区画を受信または送信するように、Tf,オフセットによって、移動局が第二のキャリアへと切り替えを行うことが可能になる、請求項1078記載の方法。
[請求項1081]
第一のフレーム内のフレーム区画および第二のフレーム内の対応するフレーム区画が、同じ期間を有する、請求項1067記載の方法。
[請求項1082]
第一のフレーム内のフレーム区画および第二のフレーム内の対応するフレーム区画が、異なる期間を有する、請求項1067記載の方法。
[請求項1083]
第一のキャリアが12.5kHzのサブキャリア間隔を有する、請求項1067記載の方法。
[請求項1084]
第一のキャリアが、2.5、10、および15μsの3つのサイクリックプレフィックス長をサポートする、請求項1083記載の方法。
[請求項1085]
第一のキャリアが25kHzのサブキャリア間隔を有する、請求項1067記載の方法。
[請求項1086]
第一のフレーム内のフレーム区画内の各サブフレームが、第二のフレーム内の対応するフレーム区画内の対応するサブフレームを有し、かつ前記第一のフレーム内の各サブフレームの開始時間位置および期間Tサブが、前記第二のフレーム内の対応するサブフレームの開始時間位置および期間と等しい、請求項1067記載の方法。
[請求項1087]
第一のフレーム内の全てのサブフレームがダウンリンク伝送のために使用され、かつ第二のフレーム内の全てのサブフレームがアップリンク伝送のために使用される、請求項1086記載の方法。
[請求項1088]
第一のフレーム内のサブフレームおよび第二のフレーム内のサブフレームを同時に基地局が伝送する工程を更に含む、請求項1087記載の方法。
[請求項1089]
第一のフレーム内のサブフレームおよび第二のフレーム内のサブフレームを同時に移動局が伝送する工程を更に含む、請求項1087記載の方法。
[請求項1090]
第一の中心周波数および第一のチャネル帯域幅を有する第一のキャリアを設定する工程、
第二の中心周波数および第二のチャネル帯域幅を有する第二のキャリアを設定する工程
を含む、直交周波数分割多重（OFDM）または直交周波数分割多元接続（OFDMA）通信システムにおけるキャリア構成方法であって、
前記第一のキャリアおよび前記第二のキャリアが、同じサブキャリア間隔を有し、前記第一のチャネル帯域幅が、前記第二のチャネル帯域幅に隣接し、前記第一の中心周波数および前記第二の中心周波数が、整数の周波数ステップによって分離され、かつ前記周波数ステップが、整数の前記サブキャリア間隔である、
方法。
[請求項1091]
第二のキャリアにおけるサブキャリアに実質的な干渉を発生させることなく、第一のキャリアのサブキャリアで信号を伝送する工程を更に含む、請求項1090記載の方法。
[請求項1092]
サブキャリア間隔が12.5kHzである、請求項1091記載の方法。
[請求項1093]
基地局が第一のキャリアで第一の移動局と、および第二のキャリアで第二の移動局と同時に通信する工程を更に含む方法であって、前記第一のキャリアおよび前記第二のキャリアが、単一の集約OFDM/OFDMAキャリアとして前記基地局によって処理される、請求項1090記載の方法。
[請求項1094]
第一のキャリアのサブキャリアと第二のキャリアのサブキャリアとの間に実質的な干渉を発生させることなく、集約OFDM/OFDMAキャリアのサブキャリアで信号を伝送する工程を更に含む、請求項1093記載の方法。
[請求項1095]
サブキャリア間隔が12.5kHzである、請求項1093記載の方法。